(57)【要約】【課題】高圧端子と端末ピンとの接続に際して、確実に導電性を確保することができ、接続部の信頼性が高い内燃機関用点火コイルを提供する。【解決手段】一次コイル１０、二次コイル２０、鉄心３０、および絶縁ケース４０を備え、絶縁ケース４０内に絶縁樹脂５０を充填し、二次コイル２０で発生した高電圧を端末ピン６０を介して高圧端子７０に伝達する内燃機関用点火コイルにおいて、二次コイル２０に接続された端末ピン６０を高圧端子７０に接続する際に、高圧端子７０にスリット７１を設け、この高圧端子７０を絶縁ケース４０に圧入して、前記したスリット７１の中に端末ピン６０の下端６１を収納させ、高圧端子７０を絶縁ケース４０に圧入するときの径方向の圧縮力によりスリット７１の間隔が狭くなって、高圧端子７０と端末ピン６０とが圧接することにより電気的な接続を得るように構成した。【選択図】図１
2011023578.tif 000002
【特許請求の範囲】
【請求項１】
コイルボビンに巻回された一次コイルおよび二次コイルと、前記一次コイルおよび二次コイルを磁気的に結合する鉄心と、前記コイルおよび鉄心を収納する絶縁ケースとを備え、前記絶縁ケース内に絶縁樹脂を充填し、前記二次コイルで発生した高電圧を前記二次コイルに連結した端末ピンを介して高圧端子に伝達する内燃機関用点火コイルにおいて、
前記高圧端子にスリットを設け、該高圧端子を前記絶縁ケースに圧入する際に、前記スリット内に端末ピンの一部が収納され、前記圧入時の径方向の圧縮力によって前記スリットの間隔が狭まり、前記高圧端子と前記端末ピンとが電気的に接続されることを特徴とする内燃機関用点火コイル。
【請求項２】
前記スリットは、前記高圧端子の直径方向に設けてあることを特徴とする請求項１に記載の内燃機関用点火コイル。
【発明の詳細な説明】
【技術分野】
【０００１】
本発明は、内燃機関、たとえば、自動車のエンジンに取り付けられ、エンジンのプラグホールの底に設けられた点火プラグに火花放電を発生させるための高電圧を供給する内燃機関用点火コイルに関する。
【背景技術】
【０００２】
従来の内燃機関用点火コイルにおける高圧端子と端末ピンとの関係は、例えば、図４の概略説明図、および図５の要部拡大断面図に示すようになっていた。すなわち、内燃機関用点火コイルは、一次コイルボビンおよび二次コイルボビンにそれぞれ巻回された一次コイル１０、二次コイル２０と、これらを磁気的に結合する鉄心３０と、これらを収容する絶縁ケース４０等から成り、絶縁ケース４０内に充填される絶縁樹脂５０によって、内部に収容された一次コイル１０、二次コイル２０、鉄心３０等が固定されている。また、二次コイル２０に接続された端末ピン６０は、高圧端子７０に自身の弾性によって圧接されている。このような構成を備える内燃機関用点火コイルの一例は、特許文献１に記載されている。
【先行技術文献】
【特許文献】
【０００３】
【特許文献１】特開２００８−１３５４９４号公報
【発明の概要】
【発明が解決しようとする課題】
【０００４】
しかしながら、このような構成の従来の内燃機関用点火コイルにおける圧接による接続方法では、絶縁樹脂５０の熱硬化時に、端末ピン６０が絶縁樹脂５０から硬化収縮に伴う応力を受け、高圧端子７０と端末ピン６０との接触が離れてしまい、導通不良が発生することがあった。
【０００５】
本発明は、上記に鑑みなされたものであり、高圧端子と端末ピンとの接続に際して、確実に導電性を確保することができ、接続部の信頼性が高い内燃機関用点火コイルを提供することを目的とする。
【課題を解決するための手段】
【０００６】
請求項１に係る発明は、コイルボビンに巻回された一次コイルおよび二次コイルと、前記一次コイルおよび二次コイルを磁気的に結合する鉄心と、前記コイルおよび鉄心を収納する絶縁ケースとを備え、前記絶縁ケース内に絶縁樹脂を充填し、前記二次コイルで発生した高電圧を前記二次コイルに連結した端末ピンを介して高圧端子に伝達する内燃機関用点火コイルにおいて、前記高圧端子にスリットを設け、該高圧端子を前記絶縁ケースに圧入する際に、前記スリット内に端末ピンの一部が収納され、前記圧入時の径方向の圧縮力によって前記スリットの間隔が狭まり、前記高圧端子と前記端末ピンとが電気的に接続されることを特徴とする。
【０００７】
請求項２に係る発明は、請求項１に記載した内燃機関用点火コイルであって、前記スリットは、前記高圧端子の直径方向に設けてあることを特徴とする。
【発明の効果】
【０００８】
本発明の内燃機関用点火コイルは、二次コイルに接続された端末ピンを高圧端子に接続する際に、高圧端子にスリットを設け、この高圧端子を絶縁ケースに圧入して、前記したスリットの中に端末ピンの一部を収納させ、高圧端子を絶縁ケースに圧入するときの径方向の圧縮力によりスリットの間隔を狭めて、高圧端子と端末ピンとを圧接させることにより電気的な接続を得ている。このため、端末ピンに絶縁樹脂の硬化収縮に伴う応力が作用しても、端末ピンと高圧端子とが常に圧触した状態を保つので、高圧端子と端末ピンとの間に導通不良が発生することがなく、安定した機能を維持した内燃機関用点火コイルを提供することができる。
【図面の簡単な説明】
【０００９】
【図１】本発明に係る内燃機関用点火コイルの一部を欠截した概略説明図であり、高圧端子の組み付け過程を示す。
【図２】内燃機関用点火コイルを示す一部を欠截した概略説明図である。
【図３】内燃機関用点火コイルの要部拡大断面図である。
【図４】従来の内燃機関用点火コイルを示す一部を欠截した概略説明図である。
【図５】従来の内燃機関用点火コイルの要部拡大断面図である。
【発明を実施するための形態】
【００１０】
図１は、本発明の実施例である内燃機関用点火コイルを説明するための図面であって、一部を欠截した概略説明図である。また、この図面は、高圧端子の組み付け過程を示している。図２は、本発明に係る内燃機関用点火コイルにおける高圧端子と端末ピンとの関係を示すように一部を欠截した概略説明図である。図３は、本発明の内燃機関用点火コイルの高圧端子と端末ピンとの関係を示す要部拡大断面図である。
【００１１】
内燃機関用点火コイルは、一次コイルボビンに巻回された一次コイル１０及び二次コイルボビンに巻回された二次コイル２０と、これら二つのコイル１０，２０を磁気的に結合させる鉄心３０と、これらを収容する絶縁ケース４０とを備えている。そして、絶縁ケース４０内には、熱硬化性樹脂等からなる絶縁樹脂５０を充填することによって、前記した一次コイル１０および二次コイル２０並びに鉄心３０等を固定保持している。
【００１２】
そして、二次コイル２０に接続された端末ピン６０を高圧端子７０に接続する。そこで、本実施例では、高圧端子７０にスリット７１を設け、この高圧端子７０を絶縁ケース４０に圧入する際に、前記したスリット７１の中に端末ピン６０の一部を収納させ、高圧端子７０を絶縁ケース４０に圧入するときの径方向の圧縮力により、スリット７１の幅が狭まり、高圧端子７０と端末ピン６０とが圧接することにより電気的に接続されるように構成している。
【００１３】
具体的には、高圧端子７０は、アルミ合金や黄銅等、導電性を有する金属材からなり、略円錐台形の頭部７２と、この頭部７２から延出する円柱形の脚部７３とを備えている。また、この高圧端子７０の脚部７３に、直径方向のスリット７１を設けることにより、二股の脚部７３を形成している。言い換えると、スリット７１を挟んで対向する２つの脚片７３ａ，７３ｂによって脚部７３を形成している。
【００１４】
そして、高圧端子７０のスリット７１、すなわち、２つの脚片７３ａ，７３ｂの間に、端末ピン６０の下端６１を挟み込んで、高圧端子７０と端末ピン６０との電気的接続を確保するのである。そこで、本実施例では、高圧端子７０を、絶縁ケース４０の高圧タワー部４１に形成した高圧端子嵌着部４２に圧入して、高圧端子７０が周囲から押圧されるように構成している。
【００１５】
このため、高圧端子７０のスリット７１に挿入した端末ピン６０の下端６１は、周囲から縮径方向の圧力を受けている２つの脚片７３ａ，７３ｂによって挟着されている。したがって、端末ピン６０に絶縁樹脂５０の硬化収縮に伴う応力が作用しても、端末ピン６０の下端６１と脚片７３ａ，７３ｂとが常に圧触した状態を保持することができるので、高圧端子７０と端末ピン６０との間に導通不良が発生することがない。すなわち、高圧部の接続不良を防止し、安定した機能を維持した内燃機関用点火コイルを提供可能である。
【００１６】
なお、図示していないが、スリット７１の内面、すなわち脚片７３ａ，７３ｂの内壁面に、端末ピン６０の下端６１に対応する、例えばＶ字形等の溝を端末ピン６０の装着方向に設けてもよい。このようにすれば、端末ピン６０をより安定して保持することができるし、また端末ピン６０と高圧端子７０との接触面積を増大させることが可能である。
【００１７】
以上、本発明を図面の実施例について説明したが、本発明は、前記実施例に限定されるものではない。そして、本発明は、特許請求の範囲に記載された事項を逸脱することがなければ、種々の設計変更を行うことが可能である。例えば、高圧端子に設けるスリットは、前記した実施例では、直径方向に１本設けているが、放射状に複数本設けるようにしてもよい。
【符号の説明】
【００１８】
１０  一次コイル
２０  二次コイル
３０  鉄心
４０  絶縁ケース
４１  高圧タワー部
４２  高圧端子嵌着部
５０  絶縁樹脂
６０  端末ピン
６１  下端
７０  高圧端子
７１  スリット
７２  頭部
７３  脚部
７３ａ，７３ｂ  脚片
【図１】
2011023578.tif 000003
【図２】
2011023578.tif 000004
【図３】
2011023578.tif 000005
【図４】
2011023578.tif 000006
【図５】
2011023578.tif 000007